(57)【要約】【課題】不要な方向への照射光の遮光を精度よく、かつ、容易に行うことが可能な照明器具を提供する。【解決手段】ＬＥＤ５０と反射面５２ｂを有するＬＥＤユニット５，６を複数備え、周辺領域に照射光を照射するように反射面５２ｂの方向が各ＬＥＤユニットについて個別に設定された照明器具であって、ＬＥＤからの照射光の照射領域を制限する遮光手段をＬＥＤユニット５，６に設けている。好ましくは、遮光手段は、反射面５２ｂが形成される反射部材と一体成形されている。好ましくは、遮光手段は、反射面５２ｂが形成される反射部材に対して取り付けられる遮光部材７である。【選択図】図８Ａ
2012181950.tif 000002
【特許請求の範囲】
【請求項１】
ＬＥＤと反射面を有するＬＥＤユニットを複数備え、周辺領域に照射光を照射するように前記反射面の方向が各ＬＥＤユニットについて個別に設定された照明器具であって、
ＬＥＤからの照射光の照射領域を制限する遮光手段を前記ＬＥＤユニットに設けていることを特徴とする照明器具。
【請求項２】
前記遮光手段は、前記反射面が形成される反射部材と一体成形されていることを特徴とする請求項１に記載の照明器具。
【請求項３】
前記遮光手段は、前記反射面が形成される反射部材に対して取り付けられる遮光部材であることを特徴とする請求項１又は２に記載の照明器具。
【発明の詳細な説明】
【技術分野】
【０００１】
本発明は、ＬＥＤと反射面を有するＬＥＤユニットを複数備え、周辺領域に照射光を照射するように前記反射面の方向が各ＬＥＤユニットについて個別に設定された照明器具に関するものである。
【背景技術】
【０００２】
照明器具の光源として、従来の蛍光灯、水銀灯やナトリウム灯に代わりＬＥＤが用いられている（例えば、下記特許文献１に開示される照明器具）。ＬＥＤは、照射光の照射範囲が所望の範囲になるように配置が設定されるが、それでも所望の範囲外に照射光が照射されることがあった。例えば、道路照明器具の場合は、不要な方向への照射により、人が眩しさを感じたり、天空への漏れ光が天文観測の障害になるなどの問題が生じている。
【０００３】
そこで、下記特許文献１では、外観ケースである天板から下方に向かって配設される側壁部を設け、その下端部によりＬＥＤ光源からの照射光を遮光するように構成している。
【先行技術文献】
【特許文献】
【０００４】
【特許文献１】特開２０１０−１１８２２３号公報
【発明の概要】
【発明が解決しようとする課題】
【０００５】
しかしながら、ＬＥＤを用いた照明器具の場合は、多数のＬＥＤユニットが設けられており、各ＬＥＤユニットの配置も照射範囲に合わせて種々異ならせているのが現状である。従って、天板に遮光手段の機能を持たせた場合、不要な方向への照射光を確実に遮光できるとは限らない。また、不要な方向への照射を遮光する機能を付加したい場合、天板に側壁部を設ける構成では、簡単に対応することができない。
【０００６】
本発明は上記実情に鑑みてなされたものであり、その課題は、不要な方向への照射光の遮光を精度よく、かつ、容易に行うことが可能な照明器具を提供することである。
【課題を解決するための手段】
【０００７】
上記課題を解決するため本発明に係る照明器具は、
ＬＥＤと反射面を有するＬＥＤユニットを複数備え、周辺領域に照射光を照射するように前記反射面の方向が各ＬＥＤユニットについて個別に設定された照明器具であって、
ＬＥＤからの照射光の照射領域を制限する遮光手段を前記ＬＥＤユニットに設けていることを特徴とするものである。
【０００８】
この構成による照明器具の作用・効果を説明する。この照明器具は、ＬＥＤと反射面を有するＬＥＤユニットを複数備えている。このＬＥＤユニットは、照射光の照射領域を制限する遮光手段を備えている。複数のＬＥＤユニットのすべてに遮光手段が設けられていてもよいし、少なくとも、１つのＬＥＤユニットに遮光手段が備えられていてもよい。これにより、ＬＥＤユニットの単位で照射領域を制限することができ、不要な方向への遮光を精度よく行うことができる。
【０００９】
本発明において、前記遮光手段は、前記反射面が形成される反射部材と一体成形されていることが好ましい。かかる構成により、部品コストを抑制しながら、遮光手段の機能を付加することができる。
【００１０】
本発明において、前記遮光手段は、前記反射面が形成される反射部材に対して取り付けられる遮光部材であることが好ましい。かかる構成により、反射部材を取り付けることで、遮光手段の機能を付加させることができる。また、各ＬＥＤユニットごとに異なる遮光特性を容易に付加させることができる。
【図面の簡単な説明】
【００１１】
【図１】道路照明器具が配置される状況を示す側面図
【図２】道路照明器具が配置される状況を示す平面図
【図３】道路照明器具の底面図
【図４】道路照明器具の側面図
【図５】道路照明器具の平面図
【図６】道路照明器具の正面図
【図７Ａ】従来技術におけるＬＥＤユニットの構成を示す図
【図７Ｂ】ＬＥＤからの照射光の照明範囲を示す図
【図８Ａ】本発明に係るＬＥＤユニットの構成を示す図
【図８Ｂ】ＬＥＤからの照射光の照明範囲を示す図
【図８Ｃ】遮光部材の構成を示す平面図
【図９】従来技術におけるＬＥＤユニットの別構成を示す図
【図１０】本発明に係るＬＥＤユニットの別構成を示す図
【発明を実施するための形態】
【００１２】
本発明に係る照明器具の好適な実施形態を図面を用いて説明する。照明器具として道路照明器具（道路灯）を例に挙げて説明する。道路照明器具１００が配置される状況を図１及び図２に示す。図１は、道路照明器具の側面図を示し、各道路照明器具１００は支柱１０１により支持される。照明範囲θ＝６０゜〜６５゜に設定される。図２は、道路の上方から見た道路照明器具の平面図である。
【００１３】
＜道路照明器具＞
図３は、道路照明器具１００を下方から見た底面図である。図４は、道路照明器具１００の側面図である。図５は、道路照明器具１００を上方から見た平面図である。図６は、道路照明器具１００の正面図である。
【００１４】
道路照明器具１００は、下側本体ケース１と、上側本体ケース２を結合することで、内部にＬＥＤユニットを収容する空間を形成している。上側本体ケース２は、更に、前側に位置する第１ケース部分２ａと、後側に位置する第２ケース部分２ｂにより構成される。図３において、左側が道路側を向き、右側に支柱結合部Ｄが設けられる。
【００１５】
下側本体ケース１には、図３にも示すように、中央部に第１収容凹部１０が設けられており、底面側から見ると、略二等辺三角形を呈している。また、この第１収容凹部１０の長辺に沿って、左右に第２収容凹部１１が設けられている。これら第１収容凹部１０と第２収容凹部１１には、照射光源としてのＬＥＤユニットが多数配置される。また、これら第１・第２収容凹部１０，１１には、無色透明の保護ガラス３，４が外観側に設けられており、内部のＬＥＤユニットを保護する。
【００１６】
第１収容凹部１０には、合計で５つの第１ＬＥＤユニット５が配置されている。これら第１ＬＥＤユニット５は、後述するようにＬＥＤと反射面を備えている。第１ＬＥＤユニット５は、道路の幅方向中央に向けて光を照射するように、その向きが設定されている。また、所望の照射領域を確保できるように、それぞれの第１ＬＥＤユニット５は、少しずつ配置状態を変化させている。
【００１７】
左右の第２収容凹部１１には、それぞれ４つの第２ＬＥＤユニット６が配置されている。これら第２ＬＥＤユニット６は、道路の長手方向に照射領域をカバーできるように、その向きが設定されている（図６の矢印参照）。また、左右の４つの第２ＬＥＤユニット６も少しずつ配置状態を変化させている。
【００１８】
＜ＬＥＤユニット＞
次に、ＬＥＤユニット５，６の構成を説明する。なお、第１ＬＥＤユニット５も第２ＬＥＤユニット６も基本的な構成は同じでよいので、第１ＬＥＤユニット５についてのみ説明する。まず、図７Ａ，図７Ｂは、本発明に係る遮光手段の機能を備えていないＬＥＤユニット５の構成を示す図である。ＬＥＤ５０は、ＬＥＤ基板５１の上に搭載され、基板モジュールを構成している。ＬＥＤ５０は、出力６Ｗクラスの白色ＬＥＤである。第１ＬＥＤユニット５は、ＬＥＤ５０を２つ並設した構成であるが、ＬＥＤ５０を配置する個数は１個あるいは３個以上等、適宜設定することができる。
【００１９】
ＬＥＤ５０及びＬＥＤ基板５１は、反射板５２に収納されている。反射板５２は、樹脂で成型することができ、ＬＥＤ５０を収容するための凹部５２ａが形成される。凹部５２ａは、正面視で楕円もしくは長円に形成される。また、凹部５２ａの内面は反射面５２ｂとして機能し、ＬＥＤ５０からの照射光を前方に向けて反射させる。反射面５２ｂは、表面にアルミ蒸着あるいはアルミメッキ等を施すことで形成することができる。
【００２０】
図７Ｂは、ＬＥＤ５０からの照射光の照射範囲を示す図である。この場合、図の上方に向けて照射される光が不要な方向の照射光である。
【００２１】
図８Ａ，図８Ｂは、本発明に係る遮光手段の機能を備えたＬＥＤユニット５を示す図である。図８Ｃは遮光部材（遮光手段に相当する）のみを示す図である。不要な方向への光を遮光するために図８Ｃに示すような遮光部材７を用いる。遮光部材７は、金属プレートあるいは樹脂により形成される。遮光部材７は、ネジ穴７ａが左右両側に設けられており、ネジ８により支持体５２にネジ止めされる。遮光部材７は、横桟部７ｂと縦桟部７ｃを備えている。横桟部７ｂは、図８Ａにも示すように、反射板５２に取り付けたときに、ＬＥＤ５０よりも若干上方に位置している。縦桟部７ｃは、中央よりも少し右寄りに位置している。横桟部７ｂや縦桟部７ｃの配置については、適宜変更することが可能である。
【００２２】
図８Ａにおいては、反射板５２にも縦桟部５２ｃ，５２ｄが一体形成されている。一方の縦桟部５２ｃは、左右方向において、遮光部材７の縦桟部７ｃと同じ位置に形成されている。このように、横桟部や縦桟部は、反射板５２の側に一体形成してもよく、遮光部材７と組み合わせて、適切に設けることができる。
【００２３】
図８Ｂは、ＬＥＤ５０からの照射光の照射範囲を示す図である。横桟部７ｃはＬＥＤ５０の近傍まで伸びており、効果的に不要な光を横桟部７ｃで反射させている。これにより、不要な上方への光が下方へと反射される。図７Ｂと比較すれば、遮光部材７の効果は直ちに理解できる。
【００２４】
図８に示すＬＥＤユニットの構成は、図３に示す第１・第２ＬＥＤユニット５，６のいずれに対しても適用できる構成である。ＬＥＤユニット５，６が配置される場所により、ＬＥＤ５０の並び方向や、ＬＥＤユニット５，６自体の取り付け角度（傾斜角度）は異なっているが、横桟部や縦桟部などの遮光部材７を設けるという技術的思想は、どのＬＥＤユニット５，６に対しても適用できるものである。桟部を設ける方向は横や縦だけでなく、斜めにしてもよく、また直線ではなく曲線的に設けてもよい。多数配置されるＬＥＤユニット５，６のうち、遮光部材（遮光手段）が設けられないものがあってもよい。
【００２５】
図７及び図８Ｂは、横長のＬＥＤ５０及びＬＥＤ基板５１の長手方向に垂直な方向の照明光を反射させる遮光手段について、主に説明した。図９は、横長のＬＥＤ５０及びＬＥＤ基板５１の短辺方向に垂直な方向の照明光について、遮光手段を設けていない場合の照射領域を示す。図９は、上方へ不要な光が照射されている例を示している。図１０は、かかる不要な光を遮光する横桟部５２ｃまたは７ｂを設けた例を示す。横桟部５２ｃまたは７ｂを設けることで、不要な照射領域を制限し、適切な照射領域を設定することができる。
【００２６】
＜別実施形態＞
本発明に係る照明器具の一例として道路照明器具をあげたが、本発明はこれに限定されるものではない。道路照明以外の照明器具、例えば、オフィスビル等の建物内、室内、公園その他の施設、トンネル等においても適用することができる。
【００２７】
ＬＥＤユニットの配列態様は、本実施形態に限定されるものではなく、種々の変形例が可能である。
【符号の説明】
【００２８】
１        下側本体ケース
２        上側本体ケース
５        第１ＬＥＤユニット
６        第２ＬＥＤユニット
７        遮光部材
７ｂ      縦桟部
７ｃ      横桟部
１０      第１収容凹部
１１      第２収容凹部
５０      ＬＥＤ
５１      ＬＥＤ基板
５２      反射板
５２ａ    凹部
５２ｂ    反射面
５２ｃ    縦桟部
５２ｄ    横桟部
１００    道路照明器具
【図１】
2012181950.tif 000003
【図２】
2012181950.tif 000004
【図３】
2012181950.tif 000005
【図４】
2012181950.tif 000006
【図５】
2012181950.tif 000007
【図６】
2012181950.tif 000008
【図７Ａ】
2012181950.tif 000009
【図７Ｂ】
2012181950.tif 000010
【図８Ａ】
2012181950.tif 000011
【図８Ｂ】
2012181950.tif 000012
【図８Ｃ】
2012181950.tif 000013
【図９】
2012181950.tif 000014
【図１０】
2012181950.tif 000015